(57)【特許請求の範囲】
【請求項１】
無限周回軌道をなす主コンベア（１１）と、該主コンベア（１１）と交わる方向に配置され主コンベア（１１）に物品を供給する供給コンベア（２）と、前記物品毎に行き先等の情報を入力するための入力装置（５）と、前記行き先等の情報に応じて前記主コンベア（１１）上の物品を仕分けて払い出す区分ステーション（Ｂ）と、前記行き先等の情報を入力する作業者が着座するオペレータ席（４）と、前記供給コンベア（２）の上流側に隣接するとともに前記オペレータ席（４）の前に設けられた回転作業台（３）とを有する物品区分機であって、前記入力装置（５）は前記オペレータ席（４）に着座した前記作業者の一方の腕の側に配置されており、前記回転作業台（３）の回転中心及び前記供給コンベア（２）の上流端は前記作業者が着座状態において作業者の他方の腕の手指が届く範囲内にあることを特徴とする物品区分機の物品供給装置。
【請求項２】
無限周回軌道をなす主コンベア（１１）と、該主コンベア（１１）と交わる方向に配置され主コンベア（１１）に物品を供給する供給コンベア（２）と、前記物品毎に行き先等の情報を入力するための入力装置（５）と、前記行き先等の情報に応じて前記主コンベア（１１）上の物品を仕分けて払い出す区分ステーション（Ｂ）と、前記行き先等の情報を入力する作業者が着座するオペレータ席（４）と、前記供給コンベア（２）の上流側に隣接するとともに前記オペレータ席（４）の前に設けられた回転作業台（３）とを有する物品区分機であって、前記入力装置（５）は前記オペレータ席（４）に着座した前記作業者の一方の腕の側に配置されており、前記回転作業台（３）の物品の載置部（３１）と非載置部（３２）の作業者側境界縁部（３３）及び前記供給コンベア（２）の上流端は前記作業者が着座状態において作業者の他方の腕の手指が届く範囲内にあることを特徴とする物品区分機の物品供給装置。
【発明の詳細な説明】
【０００１】
【産業上の利用分野】
本発明は物品の送り先等の仕分け作業を効率的に、しかも作業者の作業を軽減して行う物品区分機の物品供給装置に関するものである。
【０００２】
【従来の技術】
各種物品を送り先別毎に仕分けする物品区分機においては連続的に搬送用コンベア上を搬送されてくる物品をこの搬送用コンベアと交わる方向に配した供給コンベア上に作業者が移載する際、物品毎に送り先等の入力を行い、この入力後、供給コンベアを経て各物品は物品区分用のコンベア上へ移載され、仕分けされている。
【０００３】
【発明が解決しようとする課題】
従って搬送用コンベア上を搬送される物品の搬送方向や該コンベア上の位置が様々で、作業者は必ずしもオペレータ席に着座した状態で作業は行えず、時には大きく姿勢を変えることがある。このため作業能率の向上を図っても限界がある。
【０００４】
本発明は、作業者は予め定められたオペレータ席に着座した姿勢で、しかも自然な状態で物品の仕分け作業を行えるようになすことを目的とする。
【０００５】
【課題を解決するための手段】
本発明は上記目的を達成するためになしたもので、無限周回軌道をなす主コンベアと、該主コンベアと交わる方向に配置され主コンベアに物品を供給する供給コンベアと、前記物品毎に行き先等の情報を入力するための入力装置と、前記行き先等の情報に応じて前記主コンベア上の物品を仕分けて払い出す区分ステーションと、前記行き先等の情報を入力する作業者が着座するオペレータ席と、前記供給コンベアの上流側に隣接するとともに前記オペレータ席の前に設けられた回転作業台とを有する物品区分機であって、前記入力装置は前記オペレータ席に着座した前記作業者の一方の腕の側に配置されており、前記回転作業台の回転中心（回転作業台に物品の非載置部がある場合には、回転作業台の物品の載置部と非載置部の作業者側境界縁部）及び前記供給コンベアの上流端は前記作業者が着座状態において作業者の他方の腕の手指が届く範囲内にあることを要旨とする。
【０００６】
【作用】
一度に数十個をまとめて運ばれて回転作業台に空けられた物品は、この作業台の回転にて回転する際、この回転作業台と隣接する供給コンベアとの間に設けられたオペレータ席に着座した作業者にて物品を一つづつ取り上げ、それぞれ行き先等を打鍵にて区分機へ入力した後、供給コンベア上に移載する。この時、回転作業台の回転中心（回転作業台に物品の非載置部がある場合には、回転作業台の物品の載置部と非載置部の作業者側境界縁部）がオペレータ前屈時の反入力腕側のリーチ長にほぼ等しい距離だけオペレータより離れており、しかも供給コンベアの遠端をオペレータ前屈時の手指のリーチ長内にあるように設定しているので、作業者は着座した状態で、しかも自然な姿勢で物品の移載・打鍵操作が行えるので、仕分け作業の能率が向上すると共に、オペレータの負担を軽減することができる。
【０００７】
【実施例】
以下、本発明の物品区分機の物品供給装置を図示の実施例に基づいて説明する。
図において１は物品区分機本体で、これはリニアモータその他の動力源にて所要搬送速度で駆動それる走行台車を連続的に配列し、かつ各台車上に傾転可能なパンを設け、このパン上に仕分ける物品を搭載し、無限周回軌道をなす主コンベア１１に沿って走行台車を周回移動させ、この無限周回軌道をなす主コンベアの一部に物品を供給する供給ステーションＡと、仕分けた物品を払い出す区分ステーションＢとを備えてなる。
【０００８】
無限周回軌道をなす主コンベア１１の一部に設ける供給ステーションＡは図示の如く、該軌道１１と交わる方向に複数の供給コンベア２，２…を所要間隔に配列し、かつこの各供給コンベア２の基端側に回転作業台３とオペレータ席４とを備える。
【０００９】
そしてこの供給コンベア２上に移載された物品は物品区分機１の周回軌道となる主コンベアの所定位置で正確に移載されるよう、供給コンベア２と主コンベアとは同期をとって駆動される。
【００１０】
供給コンベア２の基端側に隣接される回転作業台３は、予め定められた速度で回転駆動され、必要に応じこの回転速度は調整されるようになすと共に、この回転作業台３の外周隣接位置で、かつ供給コンベア２の基端側との隣接位置にオペレータ席４が配設される。
【００１１】
さらにこの回転作業台３の径及びオペレータ席４の位置には次の条件が満たされるようにして設定される。すなわち回転作業台３の回転中心がオペレータ席４に着座したオペレータが物品の区分作業のため前屈する際、入力装置５に打鍵により入力をする腕と反対側の腕のリーチ長にほぼ等しい距離をオペレータより離れるようにすると共に、供給コンベア２の基端側で、かつオペレータより最も遠くなる端がオペレータの前屈時、その手指のリーチ長内にあるようにして定めるものとする。
【００１２】
さらに回転作業台３が、その回転中心に物品の非載置部３２を有する場合には、その近接縁部、すなわち、物品の載置部３１と非載置部３２の作業者側境界縁部３３が、通常作業時のオペレータの打鍵等による入力と反対側の腕側のリーチ長内にあるようにする。
【００１３】
従って上述の如く構成する物品区分機において、区分すべき物品、例えば箱入物品をおよそ３０〜５０個程をまとめて運ばれ、一度に回転作業台３上に移載されると、この作業台の回転により作業台上の物品がオペレータ前に、あるいはオペレータの作業範囲内に来るとオペレータは着座した状態で、そのままあるいは少し前屈する程度の自然な姿勢で物品を回転する作業台より取り上げて、行き先等の必要情報を打鍵により区分機へ入力した後、供給コンベア２上へ移載すると、この供給コンベアと主コンベアとは同期されているので、周回軌道上の走行台車のパン上へ移載され、所定の区分が行われる。
【００１４】
このオペレータが回転作業台から供給コンベアへ物品を移載する際、回転作業台３は、その回転中心に物品の非載置部を有するようにし、その近接縁部は通常作業時のオペレータの打鍵等による入力と反対側の腕側のリーチ長内にあるため、作業が簡易に行え、作業能率が向上するものとなる。
【００１５】
【発明の効果】
本発明の物品区分機の物品供給装置によれば、作業者の区分操作の作業負担が軽減され、自然な姿勢で効率よく区分を行える利点がある。
【図面の簡単な説明】
【図１】本発明の物品区分機の物品供給装置の一実施例を示す平面図である。
【図２】同斜視図である。
【図３】物品区分機の全形を示す外観図である。
【符号の説明】
１  物品区分機本体
１１  無限周回軌道（主コンベア）
２  供給コンベア
３  回転作業台
３１  物品の載置部
３２  物品の非載置部
３３  作業者側境界縁部
４  オペレータ席
５  入力装置
Ａ  供給ステーション
Ｂ  区分ステーション
【図１】
0003614181.tif 000002
【図２】
0003614181.tif 000003
【図３】
0003614181.tif 000004